(57)【要約】弾性的に撓性のシート材料で形成されたブランク材（２００）が開示される。このブランク材は、平面形状で作用する第１の部分（２０８）と、連結手段（２１０，２１８）を有する第２の部分（２４０）と、を備え、前記連結手段により前記第２の部分を組立てることによって筒状構造を形成する。ブランク材から組立てることができる手動で操作可能なうちわと、ブランク材から組立てることができる展示品と、が同様に開示されている。
2009543141.tif 000002
【特許請求の範囲】
【請求項１】
弾性的可撓性シート材料で形成されたブランク材であって、平面形状で作用する第１の部分と、連結手段を有する第２の部分と、を備え、前記連結手段により前記第２の部分を組立てることによって筒状構造を形成するブランク材。
【請求項２】
前記連結手段が、前記第２の部分を作動的に相互係合可能な構造を備える、請求項１記載のブランク材。
【請求項３】
前記構造が少なくとも一つの周縁雄部を備え、前記雄部は前記第１の部分に隣接した対応する雌部に挿入されて係合するよう構成される、請求項２記載のブランク材。
【請求項４】
前記雄部が、前記第２の部分の周縁の拡大頭部を有するタブと、前記頭部と前記雌部との間に配置された比較的幅狭の首部と、を備える、請求項３記載のブランク材。
【請求項５】
前記雌部が、前記シート材料内に形成された所定形状のスロットを含み、前記スロットが少なくとも一つのタブを形成し、前記タブは前記シート材料平面から変位可能であることによって前記雄部が挿入可能な開口を形成する、請求項３又は４記載のブランク材。
【請求項６】
前記スロットが、少なくとも２個のタブを形成する形状である、請求項５記載のブランク材。
【請求項７】
前記スロットが、３個のタブを形成する形状である、請求項５記載のブランク材。
【請求項８】
前記所定形状のスロットが、羊の角形状、正弦波形状、略Ｖ形状、Ｓ形状、略Ｗ形状、略四角い溝形状、略直線状スロット、単一の湾曲スロット、円形スロット、又は切抜き形状のうちの少なくとも一つを有する、請求項５〜７のいずれか１項記載のブランク材。
【請求項９】
前記シート材料が略細長いと共に長手方向軸を有しており、前記雄部及び雌部のそれぞれが前記長手方向軸上に一つずつ配置された、請求項３記載のブランク材。
【請求項１０】
前記シート材料が矩形形状を有し、その一端に形成される雄部と、前記矩形の二つの端部の間に形成される雌部と、を備える、請求項９記載のブランク材。
【請求項１１】
前記第２の部分が、前記シート材料の前記雄部と前記雌部との間の横断軸に沿って巻き込むことにより略筒状管を形成するよう構成される、請求項１０記載のブランク材。
【請求項１２】
前記シート材料が１以上の材料層を含む、請求項１〜１１のいずれか１項記載のブランク材。
【請求項１３】
前記シート材料が、約０．１ｍｍ〜約２．０ｍｍの間、より好ましくは約０．５ｍｍ〜約１．０ｍｍの間の肉厚を有する、請求項１２記載のブランク材。
【請求項１４】
前記シート材料が、約２５０ｍｍ〜約５５０ｍｍの長さと、約１００ｍｍ〜約１５０ｍｍの幅を有する、請求項１２記載のブランク材。
【請求項１５】
前記組立が巻き込みを含み、前記筒状構造が筒状管を含む、請求項１〜１４のいずれか１項に記載のブランク材。
【請求項１６】
前記相互係合が解除可能なものであり、前記筒状管を略シート形状に復帰させることができる、請求項１５記載のブランク材。
【請求項１７】
前記シート材料が単一層のポリプロピレンにより形成される、請求項１３又は１４記載のブランク材。
【請求項１８】
前記少なくとも第１の部分が、図形的又は文字的内容を組み込む、請求項１〜１７のいずれか１項に記載のブランク材。
【請求項１９】
前記第２の部分が、前記ブランク材を作動的相互係合する組立手順の図解を組み込む、請求項１８記載のブランク材。
【請求項２０】
前記第１の部分の周縁に形成された重み付け部をさらに含む、請求項１〜１９のいずれか１項に記載のブランク材。
【請求項２１】
ブランク材を組立てて物品を形成する方法であって、
弾性的可撓性シート材料で形成されたブランク材を用意する工程と、
前記ブランク材の一部を、その周縁雄部をその雌部に作動的に係合するように組立てる工程と、を含み、
前記係合により前記一部から管が形成され、前記一部から前記ブランク材の他の作動的平坦部が延出している、方法。
【請求項２２】
前記雄部が少なくとも一つのタブ部を含み、前記雌部が対応する所定形状のスロットを含み、前記組立が前記材料を筒状管へと巻き込むことを含み、
前記所定形状のスロットに対応する少なくとも一つのタブを変位させ、前記シート材料内に開口を形成する工程と、
前記対応するタブを前記開口に挿入することにより筒状管を形成する工程と、をさらに含む、請求項２１記載の方法。
【請求項２３】
弾性的可撓性材料から形成される、手動で操作可能なうちわであって、
羽根及び把手を備え、
前記把手が、組立てられると共に相互係合されて管を形成する前記シート材料の第１の部分を含み、
前記羽根が、前記管から延びるシート材料の残りの部分を含む、うちわ。
【請求項２４】
前記把手が、前記シート材料から組立てられる筒状管を含む、請求項２３記載のうちわ。
【請求項２５】
前記第１の部分が、周縁タブ部と、前記残りの部分に隣接する所定形状のスロットと、を含み、
前記把手を巻き込みにより形成する際、前記タブ部を前記スロットに着脱可能に係合可能である、請求項２３又は２４記載のうちわ。
【請求項２６】
前記少なくとも一つの羽根に印刷された図形的又は文字的内容をさらに含む、請求項２３，２４，２５のいずれか１項に記載のうちわ。
【請求項２７】
弾性的可撓性シート材料で形成された展示品であって、
平面展示領域と、バラスト部と、を含み、
前記バラスト部が、相互係合されて管部を形成する前記シート材料の第１の部分を含み、
前記展示領域が、前記管部から延びるシート材料の残りの部分を含み、
前記展示領域に形成された図形的又は文字的内容を展示する展示領域を呈する面の上で、前記バラスト部が作動的に組立可能である、展示品。
【請求項２８】
前記シート材料を巻き込むことにより筒状管部が形成されている、請求項２７記載の展示品。
【請求項２９】
前記図形的又は文字的内容が、前記シート材料に印刷により形成される、請求項２７記載の展示品。
【請求項３０】
前記第１の部分が、スロットに対して相互係合可能なタブを備え、前記タブは前記スロットを挿通して前記管部から延出する展示のための支持体を形成する、請求項２７又は２９に記載の展示品。
【請求項３１】
前記連結手段が、前記第２の部分上に形成される少なくとも一つの接着部を含み、
前記接着部によって、前記第２の部分の周縁が、前記第１の部分に隣接する前記第２の部分に接着される、請求項１記載のブランク材。
【請求項３２】
前記シート材料が板紙を含み、前記連結手段が、前記第２の部分を折り込むことにより管状構造を形成できるようにする複数の折り込み線を前記シート材料内に含む、請求項１〜１４のいずれか１項に記載のブランク材。
【請求項３３】
前記第２の部分が、スロットに係合して前記シート材料の折り込まれた部分を固定するよう構成された少なくとも一つの構造を備える、請求項３２記載のブランク材。
【請求項３４】
前記一つの構造が、前記シート材料の端部に対応するタブを含む、請求項３３記載のブランク材。
【請求項３５】
前記一つの構造が、二つのタブ間に配置されると共に前記スロットに係合可能な構造を含む、請求項３３記載のブランク材。
【請求項３６】
前記第１の部分が、少なくとも二つの小部分と、前記小部分を連結させて一方の小部分の周縁を他方に対して折り込み可能とする折り込み線と、を備える、請求項３２〜３５のいずれか１項に記載のブランク材。
【請求項３７】
前記周縁部が前記折り込まれた部分を固定する手段を備える、請求項３６記載のブランク材。
【請求項３８】
前記管が略三角形断面を有する、請求項３２〜３７のいずれか１項に記載のブランク材。
【請求項３９】
実施形態を図面に示した幾つかの実施形態のうちいずれか一つを参照して本願明細書に実質記載された、ブランク材。
【請求項４０】
請求項３９記載のブランク材から形成された手動で操作可能なうちわ又は展示品。
【発明の詳細な説明】
【技術分野】
【０００１】
本発明は、単体のブランク材（blank）と、このブランク材から組立可能な１以上の物品、及びこのブランク材からうちわ又は展示品を組立てる方法に関する。
【０００２】
（著作権表示）
本特許明細書は、著作権保護を受ける材料を含むものである。著作権者は調査目的での本特許明細書又は特許庁の関連書類からの関連材料の複製に対する異議は唱えないが、それ以外についてはいかなるものであれ全ての著作権を保有するものである。
【背景技術】
【０００３】
手で、すなわち手動で操作可能なうちわは当業界でよく知られている。これらは通常、棒の端にやや円形、又はハート形、あるいは裂けた形状の羽根が装着された、いわゆる櫂型うちわが含まれる。この棒をユーザが握り、風を送る動きが生み出される。他の手動で操作可能なうちわには、アジアやスペイン語文化圏中で人気のある蛇腹型（concertina）うちわが含まれる。この蛇腹型うちわは、非使用時には折り畳むことによって収納が簡単であるという利点を有する。
【発明の概要】
【発明が解決しようとする課題】
【０００４】
しかしながら、この種のうちわは比較的華奢であり、通常紙や繊維で出来た折り畳みうちわ羽根が破損しないよう、慎重に取り扱わねばならない。櫂型うちわは、構成はずっと簡単であるが、収納が困難である。櫂型うちわや蛇腹型うちわのそれぞれの多部品構成によって、その製造コストは増大する。
【課題を解決するための手段】
【０００５】
本開示によれば、ブランク材は単一のシート材料で形成されている。ブランク材は、展示品及び手動で操作可能なうちわの一方又は両方を形成するよう組立可能である。ブランク材は、平面的造形で働く第１の部分と、筒状構造を形成して第２の部分を組立てる際に自身への連結手段を備える第２の部分と、を有する。前記連結手段は第２の部分の各部の作動的相互係合を可能にする構造を含むことが好ましい。材料がプラスチック材料のように略弾性的可撓性を有する場合、その組立には巻き込みが含まれていてもよく、筒状構造は略筒状管を含む。材料の可撓性が厚紙やボール紙のように乏しい場合、組立には折り込みが含まれていてもよく、筒状構造は矩形又は類似形状等の多角形断面にできる。
【０００６】
本開示は、一定範囲のブランク材の形状や、代わりの展示品やうちわ性能を達成する組立への異なる取り組みを含む、多種多様な代替的実装形態を提示するものである。
【図面の簡単な説明】
【０００７】
【図１】図１（Ａ）〜（Ｊ）は、一実施例によるブランク材とブランク材からのうちわの形成を示す図である。
【図２】うちわ又は展示品等の物品として使用するよう組立可能なブランク材の平面図である。
【図３】図２のブランク材を用いて形成した物品の側方斜視図である。
【図４Ａ】図３の物品の下面斜視図である。
【図４Ｂ】図３のうちわの下面図である。
【図５】図３の物品の背部立面図である。
【図６】図３の物品の管を形成するブランク材の相互接続の拡大斜視図である。
【図７】さらなるブランク材の平面図である。
【図８】例えば図２のブランク材上に印刷できる組立手順を表わす図である。
【図９】代替ブランク材の平面図である。
【図１０】さらなるブランク材の平面図である。
【図１１】形成時の図１０のブランク材のさらなる図である。
【図１２】形成時の図１０のブランク材のさらなる図である。
【図１３】形成時の図１０のブランク材のさらなる図である。
【図１４】さらなるブランク材の平面図である。
【図１５】形成時の図１４２１のブランク材の斜視図である。
【図１６】さらなるブランク材の平面図である。
【図１７】形成時の図１７のブランク材のさらなる図である。
【図１８】形成時の図１７のブランク材のさらなる図である。
【図１９】形成時の図１７のブランク材のさらなる図である。
【図２０】さらなるブランク材の平面図である。
【図２１】さらなるブランク材を示す図である。
【発明を実施するための形態】
【０００８】
本発明の幾つかの好適な実施形態を、ここで図面を参照して説明する。
【０００９】
図１（Ａ）は、弾性的可撓性のあるシート材料で形成されたブランク材１００を示す。図示のブランク材１００は略矩形であり、第１の部分１０２と、第２の部分１０４と、を有する。後述するような他の形状を用いてもよい。第２の部分１０４は、手作業を通じて自己への結合が可能な連結手段を用いて構成されている。
【００１０】
一実施例において、連結手段は、第２の部分１０４上に形成される少なくとも一つの接着部を備えていてもよく、この接着部によって、第２の部分１０４の周縁を第１の部分１０２に隣接する第２の部分１０４の別の部分へ接着することができる。接着部は例えば第１の部分１０２に直接隣接する周縁部に形成される両面接着帯とすることができ、手作業には、接着剤を露出させるためにカバー帯を除去し、二つの部分を互いに圧接させることが含まれるだろう。
【００１１】
図１（Ａ）〜（Ｊ）、特に図１（Ｂ）の実施例に見られるように、第２の部分１０４は雄部を形成する周縁タブ部１０６を含み、この雄部は、ブランク材１００を形成する材料の弾性的可撓性によって、成形スロット１０８に挿入できるよう構成されている。成形スロット１０８は雌部として機能し、部分１０２とタブ部１０６の中間の部分１０４内に形成される。タブ部１０６とスロット１０８は、相互係合可能であることによってブランク材１００が作動構成となるための連結手段として働く、第２の部分内の構造である。
【００１２】
図１（Ｃ）はブランク材１００の長手方向側方立面図を示し、図１（Ｄ）はその端部立面図であり、ブランク材１００が好ましくは単一の単体シート材料で形成されることを示す。一代替例では、ブランク材は適当な弾性的可撓性を有する２以上の層を備えるシート積層体から形成することができる。
【００１３】
図１（Ｅ）〜図１（Ｊ）は、部分１０６が所定形状のスロット１０８と相互係合するように、部分１０４を例えば巻き込むことにより組立てたときのブランク材１００の各種図を示すものである。図１（Ｅ）はブランク材１００の平面図を示すものであり、タブ部１０６はスロット１０８に挿通させ、スロット１０８の小周縁部１１０だけが視認できるようになっている。図１（Ｆ）は図１（Ｅ）の裏面図であり、スロット１０８の中間主要部１１２が視認可能であり、タブ部１０６はこれを挿通している。図１（Ｇ）は図１（Ｆ）の背部斜視図を示すものであり、スロット１０８を挿通するタブ部１０６が、スロット１０８の主要部１１２の両側に隣接する開口１１４を形成している。
【００１４】
図１（Ｈ）は、タブ部１０６がスロット１０８を挿通しているところが見られる側方立面図を示しており、ブランク材１００の組立てにより筒状管１１６が形成され、後述する多くの用途があるようにしている。この特定実施例の特有の巻き込み構成により、筒状管が形成される。図１（Ｊ）は同一構成の下面図であり、タブ部１０６により閉塞されるスロット１０８の主要部１１２の一側の輪郭と開口１１４と、筒状管１１６の構成を示す。
【００１５】
図１（Ｅ）〜（Ｊ）に示す巻き込み構成にあるとき、ブランク材１００により形成した物品は、少なくとも二つの目的に合わせて使用できるだろう。第１の目的は、ユーザが簡単に把持可能な把手を形成する筒状管１１６から導かれるものであり、ユーザが手首を曲げること、すなわち腕の動きによって、第１の部分１０２は手動で操作可能なうちわ羽根を形成されるだろう。ブランク材１００を形成するシート材料の弾性的可撓性により、うちわ羽根が撓み、空気を動かすことになる。
【００１６】
代替的な使用では、特に図１（Ｈ）に示すように、筒状管１１６と、スロット１０８を挿通するタブ１０６と、により展示品スタンドが形成されて、ブランク材１００の第１の部分１０２上又はその近傍に印刷されるか形成された図形や文字情報を表示することができる。図１（Ｈ）と図１（Ｉ）では、筒状管１１６と延出タブ１０６とが、略直立する展示品の基部を形成している。代替的構成では、物品が各側部１１８，１２０を下にしておかれるよう構成されることにより、筒状管１１６が第１の部分１０２に対し起立又は直立した支持を形成する。
【００１７】
図２は、好ましくはポリプロピレンの単体シート等のプラスチック材料で形成されたブランク材２００を示す。ポリプロピレンは、約０．５ｍｍ〜約１．０ｍｍの肉厚を有するシート形状において、弾性的可撓性を有し、展示品スタンド用途又は手動の操作うちわと用途のために適当な大きさとしたときに比較的堅固であるため略自立型となるという点で、所望の属性を有する。ポリプロピレンシートは約０．８ｍｍの肉厚であると最も好ましい。同様の属性を有する他の材料を代替的に使用することもできる。例えば、シート材料が紙製カードの両側に積層した二層のＰＥＴ（ポリエチレンテレフタレート）から形成可能な積層体である場合、このカードは例えば３００ｇｓｍの密度を有する。４５０ｇｓｍの密度又は５００μｍの肉厚を有するカードを、代替的に使用することもできる。この種実施例では、ＰＥＴは前述のポリプロピレンのものよりもずっと薄肉とすることができる。この種の構成は、約０．１ｍｍの肉厚を持たせることができる。例えば、積層体は三次元の動画式画像が表示できるようにするレンズ材料をもって形成することができる。
【００１８】
図２に見られるように、ブランク材２００は略細長く、多くの種々方法で使用可能な第１の端部２０２と、多くの目的のそれぞれに合せブランク材２００の相互係合を可能にする構造を組み込んだ第２の端部２０４とが組み込んである。図２中の傾斜「稲妻」線２０６により示すように、ブランク材２００の長さは具体的用途に応じて変えることができる。図示のように配置した斜め線２０６により、この種の素材を第１の自由端と多目的を有する端部２０２に関連する領域２０８との相対的寸法に変化をもたせることができる。
【００１９】
第２の端部２０４は、タブ２１２と、ブランク材２００内に形成されるスロット２１０と、を含んでいる。図示から見てとれるように、スロット２１０とタブ２１２は共に長手方向軸２１４上に配置されており、その両方はブランク材２００の横断軸２１６に対して平行である。
【００２０】
図２に示すように、スロット２１０は若干の幅をもって図示されているが、これは例示目的のためであり、この種のスロットを、ブランク材２００の表面における単なる標識又は凹部であるといったあらゆる解釈とは明確に区別するためのものである。実際には、ブランク材２００と、スロット２１０及びタブ２１２を形成する構造はシート材料の金型による切断又は打ち抜きにより形成されると好ましい。この結果、スロット２１０の幅は実際には全く識別可能でないが、それにもかかわらずシート材料の弾性的可撓性によってシート材料は変位可能であり、タブ２１２を挿入することのできる開口を作り出す。図２に見て取れるように、タブ２１２には拡大頭部２１８と幅狭首部２２０とが組み込まれ、この首部２２０がスロット２１０とタブ２１２との間の第２の端部２０４の中心部２２２と頭部２１２との間の接続を形成している。
【００２１】
スロット２１０は好ましくは羊の角形状（double rams horn shape）又は正弦波状に構成又は整形され、これにより長手方向軸２１４に沿う舌状タブ２２４と、長手方向軸２１４の各側に中心部２２２に隣接して位置する一対の対向配置肩タブ２２６と、を形成している。各タブ２２４，２２６が相補的凹部２２８，２３０に略嵌合し、これにより各タブ２２４，２２６の周縁と凹部２２８，２３０が所定形状のスロット２１０を画成するようにしてある。ブランク材２００内に形成された構造２２４〜２３０により各肩タブ２２６に相対的に逆行する方向に舌状タブ２２４の偏向が可能となり、それによってブランク材２００の平面内に開口が形成される。
【００２２】
ブランク材２００は、横断軸２１６に平行な中心部２２２を挿通する線に沿って第２の端部２０４を巻き込むことで作動的構成に組立可能である。適切に巻き込むと、タブ２１２をスロット２１０内に、またはこれに貫通させて作動的に係合させ、図３に示す自力接続（作動可能）された構造２３２をもたらす。図３に見られるように、タブ２１２の頭部２１８による舌状タブ２２４の変位によって、舌状タブ２２４に対応する凹部２２８が開口２３８を画成する。図４Ａから明らかなように、巻き込みと相互係合が完了すると、肩タブ２２６は頭部２１８の下面２３４に略係合して係止するようになり、この下面２３４が首部２２０と頭部２１８の横断周縁２３６との間の相互接続を形成する。これらの構造は、図２にも見て取れる。図４Ｂは、前述の構成のさらなる細部を提供する図４Ａの下面図を示す。
【００２３】
図５は、図３、図４Ａ、図４Ｂの作動的構成に巻き込み挿入したブランク材２００の背部平面図であり、ここでは舌状タブ２２４が被拡大頭部２１８の一面を覆って延びていることが見て取れる。さらに、中心部２２２周りに巻き込まれた第２の端部２０４を見ると、シート材料の前面と背面とを識別するための図５に示す斜平行線ハッチングから明らかなように、領域２０８と頭部２１８のそれぞれにおいてブランク材２００の同じ面が示されている。さらに、図５からはあまり明確ではないかも知れないが、凹部２３０と頭部２１８の対応下面２３４が当接接続を形成することによって、一組の構成要素の輪郭が他方に同化している。
【００２４】
図６は、ブランク材２００の巻き込み部分の側面斜視図を示し、ここでは舌状タブ２２４が拡大頭部２１８上に係止しているのが見て取れる。さらに、ブランク材２２０の平面から舌状タブ２２４が偏向し、構造内に開口２３８を形成している。
【００２５】
図８は図解による組立手順の拡大図であり、この組立手順は、宣伝材料又は他の情報と共にブランク材２００上に例えば領域２０８等に印刷、または形成（例えば、接着により）することができる。図８の手順は、偏平なブランク材を手動で作動的構成に再組立するための一連の工程を説明するものである。これらの工程を、ここで図２〜図６の実施形態に示す構造を参照して説明することにする。第１の工程（工程１）では、ユーザは人差し指をスロット２１０内に挿入することによってタブ２２４，２２６を分離し、舌状タブ２２４をタブ２１２から偏向させ、これを親指を用いてスロット２１０へ向け偏倚させる。工程２は中心部２２２周りに横断軸２１６に平行にブランク材２００を巻き込み、タブ２１２の頭部２１８を工程１において人差し指が形成した開口のスロット２１０内へ案内することが含まれる。工程３は、側方立面図にて図示したブランク材２００を示しており、ここでタブ２１２は舌状タブ２２４が被挿入タブ２１２の「外側」に係止した状態でスロット２１０を挿通することが見て取れる。工程４は、図８を参照して前記したように、ブランク材２００全体の巻き込みを示す。工程５は、巻き込み加工工程４後にユーザがタブ２１２を外方へ引っ張り、それによってシート材料の弾性と剛性を調整することにより、タブ２１２と係止舌状タブ２２４が筒状管２４０から延出する板ばね様のものを形成することを示している。最後に、工程６は展示品として使用するよう構成した物品を側方立面図にて示している。管２４０はテーブル面に係合する安定器（バラスト）を形成し、延出タブ２１２がテーブルに係合し、起立する物品を支持する。
【００２６】
前述のように、好適な実装形態では、ブランク材２００，３００は０．５ｍｍ〜１．０ｍｍの間の好適な肉厚を有するポリプロピレンシートにより形成される。ブランク材全体の寸法は、うちわ又は展示品のいずれについても具体的実施例に応じて変更可能であるが、本発明者は、平坦な構成において束で包装する上でも、うちわ又は展示品としての使用のための続く巻き込みや細工の容易さの上でも、約３００ｍｍの長さと約１２０〜１３０ｍｍの幅が好都合であることを見出している。さらに、約１２０〜１３０ｍｍの幅と図示の長さによって、シャツやズボンのポケット内へ、巻き込み済みブランク材を携帯のために簡単に挿入可能となる。具体的要件に応じ、他の寸法を用いてもよい。本発明者は、約２５０ｍｍが細工可能なブランク材の最低の長さであり、約１００ｍｍが細工可能な最低の幅であることを見出している。うちわ又は展示品として巻き込まれた作動的構成としたときに、このような組立からブランク材を係合解除し、前述した積み込みならびに考えられる後続の再組み付け用に平坦なシート構成へ戻すことができることをさらに理解されたい。このため、固締構成は解除可能である。
【００２７】
図１から図８に示した構成は、うちわ又は展示品として構成することのできるブランク材の基本的な構成のみを提供するものである。さらに、例えば図３に示す展示品構成では、この種の構成は管２４０がスタンドの基部にバラストを形成する直立位置に図示してあるが、同一造形をその側面を下にして配置することもでき、その場合に管２４０はほぼ垂直となり、管２４０の円形端部が領域２０８に関連するブランク材の側面の細長い延出部と併せ「横向き」展示品の基部を形成する。バラストは二通りの仕方のいずれかにより表面上に作動的に組立可能となり、展示品として機能させる配置が可能になる。
【００２８】
ブランク材は、他の様々な構成を用いてもよい。
【００２９】
図７は、図２の実施形態同様、スロット７１０に着脱自在に係合可能なタブ部７１２を有するさらなるブランク材７００を示す。ブランク材７００では、第１の端部７０２には、蝶番部７５２を介してブランク材７００の本体７０６に結合されるフラップ部７５６が配設してある。図示のように、フラップ部７５６は周縁タブ７５０を含み、周縁タブ７５０は、蝶番７５２と所定形状のスロット７１０の中間の本体７０６内に配置された直線状スロット７５４と長手方向に整列する。この構成を用いることで、フラップ７５６を本体７０６上に折り込み、タブ７５０をスロット７５４内に係合させ、本体７０６の一部を閉塞する閉止位置にフラップ７５６を保持することができる。タブ７５０はスロット７５４から取り除き、蝶番式に開放して抜いて板素材７００表面の印刷内容を顕現させる。ブランク材７０は展示目的に使用可能であり、シート材料はよく見られるようになる。うちわの一実装形態では、ブランク材７００はフラップ７５６が１以上の追加の積層された層を含み、これによりその部分に重量を加重して、作動時のフラップ動作又は振動動作に役立つよう形成することができる。
【００３０】
図９は、第１の端部５０２を有するブランク材５００のさらなる実施形態を示し、第２の端部５０４は、先に説明した実施形態と同様に組立てられている。図９の実施形態では、第１の端部５０２は、接着剤又は超音波溶接等の他の手段の使用を通じて下敷きとなるブランク材に接着できるシート材料５０６のさらなる１以上の層の追加を通じた追加的な重量を含むようにしてある。あるいは、図７のそれと類似の小さな折り込み部を用い、端部５０２に釣り合い重りとして機能させることもできる。重量を追加する目的は、扇ぎ動作中の端部５０２の可撓性や跳ね返りを増大させることにある。あるいは、追加の物理的重荷を用いてもよい。この種の使用には、ここでも例えば接着剤又は加圧スタッド等の他の手段を用い、端部５０２に対する磁石等の固定を含めることができる。このような位置にある磁石によって、平坦な造形又は巻き込み造形のいずれの場合でも、例えば一般には家庭用冷蔵庫等に見出だされる鋼等の強磁性面に、ブランク材５００を一時的に固定できるようにする。通常家庭用冷蔵庫に固定された状態で見出せる可撓性の帯磁石等、他の磁石を用いてもよい。
【００３１】
上記の構成は相互係合を可能にする単一の雄部と対応雌部（単一組）だけ示すものであるが、代替的造形は複数の雄部と対応雌部（複数組）を使用することができる。例えば、図２の図示のタブ部２１２とスロット２１０は寸法を変えても（相対的に低減）よく、この種の組のうちの二組または三組を手で組立可能な端部２０４の自立結合に用いる。二つの組を用いた場合、この種は軸２１４の両側に均等に離間させることができる。三組を用いる場合、一つの組は軸２１４上に配置したままとし、他の二組をその両側に離間させる。
【００３２】
図１０〜図２２は好ましくは板紙（例えば、ボール紙や同様の製品）から製造される、他の幾つかの実施形態を示す。この種の板紙には他の材料を積層することができ、しかるべき場合には再生紙材料から製造する。この種の板紙や紙材料は、例えばポリプロピレンほど顕著ではないが、しかるべく製造すると弾性的可撓性を有する。この種の材料の弾性的可撓性により、うちわ／展示品が形成可能となる。また、それらを手を使って片方の手で把持できる寸法とし、従来のうちわとして作動させ、一方でまた展示品として静的に使用することもできる。板紙材料は一般に、０．５ｍｍ〜２ｍｍの間、通常約０．８〜１．０ｍｍの間の肉厚を有する。板紙材料は積層することができる。
【００３３】
図１０は、略矩形形状をなし、二つの端部７０４，７０６間に介挿された本体部７０２を含むブランク材７００を示す。第１の端部７０４は、この端部７０４を三角形状管（図１８に最も良く見られる）に折り込めるようにする幾つかの折り込み線７１４，７１６，７１８を含む。端部７０４は折り込み線７１４上に切り込み７１２が組み込まれ、この線が本体７０２内に形成されたスロット７０８内へ挿入可能なタブを形成する。
【００３４】
第２の端部７０６は２本の折り込み線７２０，７２２を含んでいる。これらは切り込み７１０により形成されたタブ７２６下側の端部７０６の係合を提供することにより、形成されたフラップを折り込み線７２０，７２２間に固定するよう構成される。この点で、折り込み線７２０が本体７０２上に折り込む端部７０６全体を規定するのに対し、折り込み線７２２は、端部７０６をタブ７２６下側のスロット７１０内に付勢するのに十分な積層折り込みを可能にするよう備えられるものである。
【００３５】
図１１は、形成時のブランク材７００の側面斜視図を示す。見て取れるように、各折り込み線７１４，７１６，７１８に沿う端部７０４の折り込みが三角形断面形状の管状構造７３０を形成する。これを用いて基部を形成することにより、形成時にブランク材７００は展示品として使用できるようになる。さらに、三角形部７３０はうちわとして機能させる物品用の把手として使用することができる。図１２は図１１の構成の平面図を示し、図１３は各種タブ７２４，７２６の構成を示す図１１の下面図を示す。
【００３６】
図１０から見て取れるように、各折り込み線７１６，７１８，７２０はその周縁にブランク材７００の端部の先端部が対応してある。各先端は，折り込みの容易さと必然的に丸められて鋭利でない端部すなわち折り込み線角部を提供するよう構成してある。図１８に見られるように、折り込み線７１４が主要部７０２の平面内に横たわっているため、折り込み線７１４にはこの種の先端は一切必要ない。折り込み線７２２はここでも略主要部７０２の平面内の唯一の副折り込み線であるため、さらなる先端は一切不要である。
【００３７】
図１０〜図１３の例では、ブランク材７００の好適な長さは約３６０ｍｍであり、これは約１５０ｍｍの幅に対応させている。これにより約１６０ｍｍの長さの羽根がもたらされる。
【００３８】
図１４は、好ましくは同様に板紙材料で製造されるさらなるブランク材８００を示す。ブランク材８００は略矩形に見られ、第１の折り込み可能な端部８０４と第２の折り込み可能な端部８０６と合せ本体８０２を有する。図示のように、端部８０６には二つの周縁半円形主タブ８０８と中間の接続用副タブ８１０とが形成してある。この端部８０６を折り込み線８１２に沿って折り込むことにより、タブ８０８の周縁を本体８０２と端部８０４の中間に形成された対応する小スロット８１４に、又はその中に折り込み線８２４に沿って配置可能とする。図１５に見られる形成された構成に最も良く見られるように、端部８０６を線８１２に沿って折り込んだときに、本体８０２内に形成されたスロット８１６内に副タブ８１０を挿入可能となる。スロット８１６はまた、端部８０４に隣接して形成したタブ８１８を折り込み線８２０に沿って受け入れる構成としてある。さらなる折り込み線８２２と、折り込み線８２４と、別の（副）折り込み線８２８を用いて形成されたパッド部８２６と、が、図１５に最も良く見て取れる略三角形状の管状部８２６を形成する折り込み対象端部８０４をもたらす。このように折り込むと、タブ８１８はスロット８１６を介して係合できるようになる。
【００３９】
図１５では（明瞭さに配慮し）標識付けしていないが、タブ８０８が形成する端部８０６は、端部８０４と折り込み８２０との間に形成された部分８３０と、本体８０２と、の間に挟持されるようになる。
【００４０】
図１４にさらに見て取れるように、端部８０４は二つの副突出タブ８３２を含んでいる。これらは端部８０４を折り込んで図１５に従って形成した際に、各タブ部８０８に隣接する小スロット８１４内に係合するよう組立てられる。スロット８１６内のタブ８１８の係合と併せ、この構造が形成された構造の略ロックと管状部８２６の画成をもたらす。
【００４１】
先の例と同様、管状部８２６によって図１５の構造が展示品として使用できるようになり、又は手動で操作可能なうちわのための把手として保持できるようになる。物品を製造する材料が手作業下では略可撓性であるため、直立物品を得るための被形成構造の手作業が形成精度に応じて必要となることがある。
【００４２】
先の例と同様、折り込み線端部上の尖端を用いて、確実に折り込みを容易にすると共に鋭角の角部を防止する。本体８０２は１８０〜２００ｍｍの間の長さとし、その幅は比率や具体的用途（例えば、男性又は女性のズボンのポケットに適合する寸法）に従って変化させることができる。
【００４３】
図１６は、ブランク材９００のさらなる実施形態を示す。このブランク材９００は、本体部９０２と、第１の折り込み可能な端部９０４と、折り込み可能な対向端部９０６と、を含む。本体９０２は湾曲したスロット９０８を含んでおり、これは端部９０４を集合的に画成する二つの湾曲する主タブ部９１２間に形成された副タブ９１０を受け入れる構成としてある。端部９０４は、副タブ９１０をスロット９０８へ係合できるようにするため、主折り込み線９１４に沿って折り込み可能としてある。
【００４４】
端部９０６はさらなる主折り込み線９１８の箇所に折り込み可能部９１６を画成しており、これにより部分９１６を折り込んで本体９０２にほぼ重なるようにする。端部９０６は厚紙材料内に形成された円形孔９２０を含んでおり、この孔は端部９０６を本体９０２に重ねて折り込んだ際にスロット９０８を露出させるよう構成されている。露出させて端部９０６を折り込んだ際に、端部９０４は折り込み線９０４にて折り込まれ、孔９２０を挿通してスロット９０８に係合する。
【００４５】
図１６にさらに見て取れるように、端部９０４は、物品を形成したときに各種構造により画成される凹面９２４をもたらす湾曲副折り込み線９２２を含む。直線状主折り込み線９１４と湾曲副折り込み線９２２との組み合わせによって、副タブ９１０が孔９２０を挿通し、又は副タブ９１０がスロット９０８内へ弾性的に付勢される。これにより、把持可能な管状部が生み出され、この種の作業によって係合を手で維持してその構造が保たれるよう機能する。
【００４６】
また図１６に見られるように、端部９０６は、折り込み線９５２により部分９１６に接続された二重フリップ部分９５０を含む。折り込み線９５２は穿孔可能であり、ブランク材９００から部分９５０を除去することができる。ここで被除去部分９５０は証票や商品券や名刺や他の証明書として機能させることができるので、市場での売買目的を果たすことができる。この部分９５０は下部羽根／把手弾性や剛性を改善するため、扇ぎ力の発現に役立ち、ブランク材９００から形成されたうちわの物理的動作を支援する。図１６は、雄部（９１０）を２以上の雌部（９０８，９２０）に係合させることのできる構成を示す。
【００４７】
形成された構成は図１７と図１８に見ることができ、解放可能な相互係合の折り込みにより略矩形の筒状構造が形成されることが見て取れる。図１７は、形成された構成の上方から見た斜視図であり、図１８は各種部分の成層を図示する側方から見た斜視図を示す。図１９は、形成された造形の下面図であり、スロット９０８が形成する空間から副タブ９１０が突出しているのが見て取れる。図１７に見られるように、凹面９２４が湾曲折り込み９２２と折り込み線９１４との間に画成される背部９２６から垂れている。
【００４８】
図１７と図１８に形成されたブランク材９００は、うちわとして、又は展示品としても使用できる。うちわの組立は、ユーザが湾曲部とそれにより形成された筒状部を把持して行うことができる。しかしながら、図１７と図１８の物品は、凹部の特性により、先の構成のようにその端部に起立させることができない。これらの物品はむしろその側面を下にして直立させ、本体９０２の一端と折り込み部９１６と及び同様に折り込み線９１４と９２２との間の直線端９３０上に係止させることができる。
【００４９】
図１７と図１８の折り込み構成内に形成された凹面９２４もまた、テーブル等他の面に平らに載せたときに物品を展示品として使用できるようにする。これによって凹面９２４を傾斜させて若干起立させ、物品を見下ろす人は即座に視認できる。図１６のブランク材９００は約５００ｍｍの全長を有すると望ましいが、４００〜６００ｍｍの間であってもよい。
【００５０】
図２０は、端部１０１６を主折り込み線１０１８に沿って折り込んだときに孔９２０をスロット１００８を補完する造形としたスロット１０４０により置き換える点を除き、その構造がブランク材９００に類似なさらなるブランク材１０００を示すものである。端部１００４は、他の全ての点で図１６の構成に対応している。さらなる折り込み可能部分１０５０が、主折り込み線１０５２に沿って折り込んだ際に、スロット１０４０と折り込み線１０５２との間の領域１０５４に重複させることができるよう配設される。スロット１０４０内の係合は、部分１０５０の長さに応じて配設することもできる。ブランク材１０００は５３０〜５５０ｍｍの全長を有することが望ましい。
【００５１】
図１０〜図２０の各構成は、先の構成同様、その表面上のどこかに文字又は画像的内容を印刷し、又は装飾し、宣伝及び／又は情報配信を提供することができる。各物品の個々の説明に整合する組立手順は、前述の仕方で設けることができる。
【００５２】
図１０〜図２０の構成では、その硬い折り込み線によって、板紙等の略硬質ながら柔らかく可撓性のある材料からうちわと展示品を製造することが可能になる。先の実施形態に用いられたポリプロピレンもまた、はっきりしたすじに沿って容易に折り込むことができるが、分解や再組立を不要にできるそのすじによって砕けやすくなることがある。他方、厚紙はすじの線に沿って簡単に折り込まれる一方、同時に廉価であり、都合よく製造して処置することができる。前記したポリプロピレン構成を用いることができ、物品上に含まれる情報は所定の時間にわたり持続させることができる。それでも、ポリプロピレンで組立られた構成は、ＰＥＴ等の他の多くのプラスチック材料のようにリサイクル可能である。
【００５３】
図２１は、図９のものに類似のブランク材２１００を示す。これはポリプロピレンや同様のプラスチック材料で製造されると好ましく、ここでは第１の部分２１０２を図１〜図３の実施例のように巻き込み相互係合用に構成している。この種の相互係合を可能にするスロット２１１２が設けられ、他のブランク材の類似のスロットとは異なる、より平坦な形状を有する。ブランク材２１００は、ブランク材２１００の作動的平坦部分２１１０をもって位置決めされた半円形スロット２１０８との折り込み時の係合用に造形した中央周縁タブ２１０６を有する折り込み可能部分２１０４を含む。ブランク材２１００は、穿孔された接合部を用いて部分２１０２内に一体化させた商品券２１１４，２１１６もまた含み、それは部分２１０２の巻き込み相互接続を可能にすべく除去されるよう構成してある。商品券２１１４，２１１６は、市場での売買目的に用いることができる。
【００５４】
前記記載は本発明の幾つかの実施形態だけを説明するものであり、本発明の趣旨と範囲から逸脱することなく改変を施すことができる。
【００５５】
例えば、スロットとタブの様々な実施形態を組み込んだ固締構成を個々の形状において改変し、ブランク材の一端をより中心の部分に巻き込んで半永久的に固定する際に類似の係合を達成することができる。この点で、羊の左右の角の形をした好適なスロットをタブ２１２の具体的形状に応じたその起伏範囲内に靭性を与えることができる。また、他の形状を用いてもよい。例えば、Ｖ形状スロットを用いてシート材料内に単一の変位可能なタブを形成することができ、この材料を通して周縁タブ部の適切な形状の頭部を挿入することができる。Ｓ形状スロットを用いてシート材料の平面に二つのタブを形成し、適当な形状の周縁タブ部分と相互係合させることができる。Ｗ形状のスロットは、図示の構成に対し類似の機能性を提供することができる。正弦波形状を用いることも、できる。羊の左右の角の形は、四角い溝に必要とされるように四角くすることができる。これらの代替例のそれぞれにおいて、前述のようにユーザの怪我を防止するために鋭角の角部又は移行部を排除することが望ましく、Ｖ字、Ｗ字、段付き溝に対し、それらに略類似する形状とするように参照がなされる。図１０〜図２０から見て取れるように、固締装置には比較的簡単なスロットを持たせ、それを著しく湾曲させ（図１６の９０８）たり、略直線（図１４の８１６）や円形スロット又は切り込み（図１６の９２０）とする。特に、図１６に見て取れるように、スロットの組み合わせを用いることにより、上記から選択されたスロットを固定構成に用いることができる。
【００５６】
さらに、前述した各実施形態は矩形形状のブランク材を図示するものであるが、ブランク材の形状は変更可能であることを理解されたい。この点について、第１の端部（例えば２０２）は、具体的用途に応じて、円形、裂けた葉、又は涙の滴の形とすることができる。矩形形状は、ブランク材をプレス加工又は切断するシート基板の使用を最適化する一方で、前述したように、平坦な形状でも巻き込み形状でも保管に便利な大きさとなるため好都合である。いずれの構造であっても、他の形状ではそれ程都合よく保管ことはできない。
【図１】
2009543141.tif 000003
【図２】
2009543141.tif 000004
【図３】
2009543141.tif 000005
【図４Ａ】
2009543141.tif 000006
【図４Ｂ】
2009543141.tif 000007
【図５】
2009543141.tif 000008
【図６】
2009543141.tif 000009
【図７】
2009543141.tif 000010
【図８】
2009543141.tif 000011
【図９】
2009543141.tif 000012
【図１０】
2009543141.tif 000013
【図１１】
2009543141.tif 000014
【図１２】
2009543141.tif 000015
【図１３】
2009543141.tif 000016
【図１４】
2009543141.tif 000017
【図１５】
2009543141.tif 000018
【図１６】
2009543141.tif 000019
【図１７】
2009543141.tif 000020
【図１８】
2009543141.tif 000021
【図１９】
2009543141.tif 000022
【図２０】
2009543141.tif 000023
【図２１】
2009543141.tif 000024
【国際調査報告】
2009543141.tif 000025
2009543141.tif 000026
2009543141.tif 000027